(57)【要約】【課題】配線・配管用ブロックを極めて安価に提供することができる配線・配管用ブロック固定金具を提供する。【解決手段】溝付固定杆体２の長手端部に係合する係合部１０を設ける。該係合部１０から連続してブロックの外側に係止する係止部２０を設ける。係合部１０と係止部２０とでブロック１上面の溝付固定杆体２を固定する。ブロック１の底面に係止するように係止部２０を形成する。係止部２０から係合部１０を延長形成する。溝付固定杆体２に係止せしめる係止片１１を係合部１０に設ける。係止片１１を溝付固定杆体２にネジ止めする固定ネジ１２を設ける。【選択図】  図１
2015105684.tif 000002
【特許請求の範囲】
【請求項１】
ケーブルラックや配管などの配設部材を支持するブロックと、該ブロックの上面に配置され配設部材を固定せしめる固定溝を備えた溝付固定杆体とを着脱自在に固定して配線・配管用ブロックを構成する配線・配管用ブロック固定金具であって、溝付固定杆体の長手端部に係合する係合部と、該係合部から連続してブロックの外側に係止する係止部とを設け、これら係合部と係止部とでブロックの上面に配置した溝付固定杆体をブロックに着脱自在に固定するように構成したことを特徴とする配線・配管用ブロック固定金具。
【請求項２】
前記係止部は、前記ブロックの底面に係止するように形成され、該係止部から前記係合部が延長形成されると共に、前記係合部に、前記溝付固定杆体の長手端部に係止する係止片と、該係止片を前記溝付固定杆体にネジ止めする固定ネジとを設けた請求項１記載の配線・配管用ブロック固定金具。
【請求項３】
前記溝付固定杆体はチャンネル材とし、前記係合部は、チャンネル材の長手端部内底面に係止する係止片と、該係止片を上面から貫通するようにネジ止めされチャンネル材の底面に先端を圧着する固定ネジと、係止片から屈曲延長され固定ネジの圧着に伴ってチャンネル材のリップ部内側に係合する係合片とで構成され、前記係止部は、前記ブロックの底面に係止する係止片と、該係止片から前記ブロックの側面に沿って屈曲延長された連結片とで構成された請求項１又は２記載の配線・配管用ブロック固定金具。
【請求項４】
前記係止部は、前記ブロックの外側面に嵌合係止するように構成した請求項１記載の配線・配管用ブロック固定金具。
【請求項５】
前記係止部は、前記ブロックの外側面に嵌合係止すると共に、該係止部を貫通する固定ネジにて前記ブロックの外側面にネジ止めするように構成した請求項１記載の配線・配管用ブロック固定金具。
【発明の詳細な説明】
【技術分野】
【０００１】
本発明は、ケーブルラックの設置や配管施工を行う際に使用する配線・配管用ブロック固定金具に係り、市販のブロックでもチャンネル材等を着脱自在に固定して配線・配管用ブロックとして使用することができる配線・配管用ブロック固定金具に関するものである。
【背景技術】
【０００２】
一般に、床面や屋上等にケーブルラックを設置し、あるいは配管施工を行う場合、コンクリートブロックの上面にチャンネル材を埋め込んだ配線・配管用ブロック（図１５参照）を使用する施工がある。この配線・配管用ブロックは、チャンネル材上面の固定溝を介して、ケーブルラックや配管等の配設部材を容易に固定できるように構成されている。
【０００３】
この配線・配管用ブロックを改良したものが特許文献1、２に記載されている。特許文献１に記載の配線・配管用ブロックは、ブロックの内部にボルト状の高さ調整材を埋設したものである。そして、屋上のコンクリートを打設した後で、うねりや凹凸などが生じていると、配線・配管用ブロックの載置面に隙間が生じて密着しない場合がある。このとき、ブロック内の高さ調整材を調整してコンクリート面に密着させるように構成している。
【０００４】
特許文献２に記載の配線・配管用ブロックは、コンクリート製のブロックに代えて鋼製の角パイプを使用するものである。そして、この角パイプの上面に立設した支持ボルトでチャンネル材を支持する構成を採用している。このように、鋼製の角パイプや支持ボルトを使用することで、配線・配管用ブロックの高さ変更が可能になり、従来のコンクリート製のブロックのようにチャンネル材を埋設して成形する手間やコストを省略できるというものである。
【先行技術文献】
【特許文献】
【０００５】
【特許文献１】特開２００３-１４８６５７号公報
【特許文献２】実開平７-２２１９１号公報
【発明の概要】
【発明が解決しようとする課題】
【０００６】
特許文献１に記載の配線・配管用ブロックは、高さ調整材にてブロックの高さを調整することは可能でも、コンクリート製のブロックにチャンネル材や高さ調整材を埋設する構造のため、製造コストが極めて高くなるという課題があった。すなわち、図１５に示す従来の配線・配管用ブロックでも、コンクリートブロックの上面にチャンネル材を埋め込むだけで多くの手間とコストが掛かっている。ところが、特許文献１では、チャンネル材の他に、高さ調整材もコンクリートブロック内に埋め込む構成なので、従来の配線・配管用ブロックよりも更に多くの製造工程や製造コストを要することになる。
【０００７】
一方、特許文献２のブロックは、コンクリート製ブロックに代えて鋼製の角パイプや支持ボルトを使用し、これら角パイプのサイズや支持ボルトの長さを任意に変えることで、配線・配管用ブロックの高さ調整を可能にするものである。ところが、支持ボルトのみでチャンネル材を支持する構成では、チャンネル材に固定する配設部材の荷重が全て支持ボルトに集中するので、支持ボルトが変形したり断裂したりするおそれがある。
【０００８】
しかも、コンクリート製ブロックに代えて鋼製の角パイプを使用しても、従来のブロックと同じサイズの配線・配管用ブロックを鋼製の角パイプで製造した場合、材料コストによってコンクリート製のブロックより製造コストが嵩む可能性もある。
【０００９】
そこで、本発明は上述の課題を解消すべく創出されたもので、配線・配管用ブロックを極めて安価に提供することができ、しかも、ケーブルラックや配管などの配設部材を強力に支持することが可能で、ブロックのサイズや材質なども任意に変更可能になる配線・配管用ブロック固定金具の提供を目的とする。
【課題を解決するための手段】
【００１０】
上述の目的を達成すべく本発明における第１の手段は、ケーブルラックや配管などの配設部材Ｐを支持するブロック１と、該ブロック１の上面に配置され配設部材Ｐを固定せしめる固定溝２Ａを備えた溝付固定杆体２とを着脱自在に固定して配線・配管用ブロックを構成する配線・配管用ブロック固定金具であって、溝付固定杆体２の長手端部に係合する係合部１０と、該係合部１０から連続してブロックの外側に係止する係止部２０とを設け、これら係合部１０と係止部２０とでブロック１の上面に配置した溝付固定杆体２をブロック１に着脱自在に固定するように構成したものである。
【００１１】
第２の手段の前記係止部２０は、前記ブロック１の底面に係止するように形成され、該係止部２０から前記係合部１０が延長形成されると共に、前記係合部１０に、前記溝付固定杆体２の長手端部に係止する係止片１１と、該係止片１１を前記溝付固定杆体２にネジ止めする固定ネジ１２とを設けたものである。
【００１２】
第３の手段において、前記溝付固定杆体２はチャンネル材とし、前記係合部１０は、チャンネル材の長手端部内底面に係止する係止片１１と、該係止片１１を上面から貫通するようにネジ止めされチャンネル材の底面に先端を圧着する固定ネジ１２と、係止片１１から屈曲延長され固定ネジ１２の圧着に伴ってチャンネル材のリップ部２Ｂ内側に係合する係合片１３とで構成され、前記係止部２０は、前記ブロック１の底面に係止する係止片２１と、該係止片２１から前記ブロック１の側面に沿って屈曲延長された連結片２２とで構成されたものである。
【００１３】
第４の手段の前記係止部２０は、前記ブロック１の外側面に嵌合係止するように構成している。
【００１４】
第５の手段の前記係止部２０は、前記ブロック１の外側面に嵌合係止すると共に、該係止部２０を貫通する固定ネジ２４にて前記ブロック１の外側面にネジ止めするように構成したものである。
【発明の効果】
【００１５】
本発明の請求項１によると、係合部１０と係止部２０とでブロック１の上面に配置した溝付固定杆体２をブロック１に着脱自在に固定するように構成したことで、市販のコンクリートブロックなどに溝付固定杆体２を固定して配線・配管用ブロックとして使用することができる。この結果、配線・配管用ブロックを極めて安価に提供することができる。しかも、ブロックのサイズや材質なども任意に変更することが可能になり、用途に応じて最適なサイズや材質の配線・配管用ブロックを構成することができる。
【００１６】
請求項２のように、係止部２０は、ブロック１の底面に係止するように形成され、該係止部２０から係合部１０が延長形成されると共に、係合部１０に、溝付固定杆体２の長手端部に係止する係止片１１と、該係止片１１を溝付固定杆体２にネジ止めする固定ネジ１２とを設けたことで、ブロック１と溝付固定杆体２との連結作業が簡単且つ確実に行えるものである。
【００１７】
請求項３の如く、係止部２０は、ブロック１の底面に係止するように形成され、係合部１０は、チャンネル材の長手端部内底面に係止する係止片１１と、該係止片１１を上面から貫通する固定ネジ１２と、固定ネジ１２の圧着に伴ってチャンネル材のリップ部２Ｂ内側に係合する係合片１３とを設けたことで、ブロック１に対して溝付固定杆体２を強固に連結できるものである。したがって、溝付固定杆体２を介して支持する配設部材Ｐをブロック１に強力に支持固定することが可能になった。
【００１８】
請求項４のように、ブロック１の外側面に嵌合係止するように係止部２０を構成することで、例えば、係合部１０に連結した溝付固定杆体２をブロック１上に仮置きしておき、配設部材Ｐの荷重で溝付固定杆体２を固定することが可能になる。
【００１９】
請求項５のように、係止部２０は、前記ブロック１の外側面に嵌合係止すると共に、該係止部２０を貫通する固定ネジ２４にて前記ブロック１の外側面にネジ止めするように構成することで、仮置きタイプの係止部２０を必要に応じてブロック１にネジ止め固定することも可能になる。
【図面の簡単な説明】
【００２０】
【図１】本発明の一実施例を示す分解斜視図である。
【図２】本発明の使用状態を示す斜視図である。
【図３】本発明の係合部と係止部の一実施例を示す正面図である。
【図４】本発明の一実施例を示す一部側断面図である。
【図５】本発明の係合片がリップ部に係止する例を示す一部側断面図である。
【図６】本発明の一実施例を示す正面図である。
【図７】本発明の他の実施例を示す分解斜視図である。
【図８】本発明の他の実施例を示す斜視図である。
【図９】本発明の他の実施例を示す分解斜視図である。
【図１０】本発明の他の実施例を示す斜視図である。
【図１１】本発明の他の実施例を示す分解斜視図である。
【図１２】本発明の他の実施例を示す斜視図である。
【図１３】本発明の他の実施例を示す斜視図である。
【図１４】本発明の他の実施例を示す分解斜視図である。
【図１５】従来の配線・配管用ブロックを示す斜視図である。
【発明を実施するための形態】
【００２１】
本発明によると、配線・配管用ブロックを極めて安価に提供することができ、しかも、ケーブルラックや配管などの配設部材を強力に支持することが可能で、ブロックのサイズや材質なども任意に変更することができるといった当初の目的を達成した。
【００２２】
以下、本発明の実施例を説明する。本発明は、係合部１０及び係止部２０にて構成され、例えば、市販されているブロック１の上面に溝付固定杆体２を着脱自在に固定することで配線・配管用ブロックを構成する（図２参照）。
【００２３】
ブロック１は、ケーブルラックや配管などの配設部材Ｐを載置せしめる部材であり、該ブロック１の上面にチャンネル材等の溝付固定杆体２が配置される（図１参照）。このブロック１の材質として、例えば、市販の地先境界ブロックを使用することで、従来の配線・配管用ブロックに近似する構成にすることができる（図２参照）。また、ブロック１の形状は直方体に限らず、立方体のブロック１を複数個並べることも可能である（図７、８参照）。更に、ブロック１の材質もコンクリートブロックに限られるものではなく、木材など他の材質を使用することも可能である。
【００２４】
溝付固定杆体２は、自身の上面に形成した固定溝２Ａに各配設部材Ｐを固定する部材で、主にチャンネル材を使用する（図１参照）。そして、ケーブルラックや配管などの配設部材Ｐを溝付固定杆体２の上面に固定する場合、この固定溝２Ａにクリップやクランプ等（図示せず）を装着して配設部材Ｐを固定する。この溝付固定杆体２はチャンネル材に限られず、例えばリップ溝形鋼などのように、固定溝２Ａが形成されている他の杆状部材の使用が可能である（図９、１０参照）。
【００２５】
係合部１０及び係止部２０は、ブロック１の上面に配置した溝付固定杆体２をブロック１に着脱自在に固定するものである（図３参照）。すなわち、係合部１０は、溝付固定杆体２の長手端部に係合する部位で、この係合部１０から連続してブロック１の外側に係止する係止部２０を設けている（図１参照）。
【００２６】
係合部１０には、溝付固定杆体２の長手端部に係止する係止片１１と、該係止片１１を溝付固定杆体２にネジ止めする固定ネジ１２とを設けている。図示の係合部１０は、係止片１１、固定ネジ１２、係合片１３を構成したものである（図１参照）。
【００２７】
すなわち、係止片１１は、チャンネル材製の溝付固定杆体２の長手端部内底面に係止する部位で、この係止片１１を上面から貫通するように固定ネジ１２がネジ止めされている（図４参照）。そして、この固定ネジ１２を溝付固定杆体２の長手端部内底面に圧着すると係止片１１が係止状態になる。
【００２８】
更に、チャンネル材のリップ部２Ｂ内側に係合する係合片１３が係止片１１から屈曲延長されている（図４参照）。この係合片１３は係止片１１と連動するもので、固定ネジ１２の先端を溝付固定杆体２の底面に圧着し続けると、係止片１１が次第にせり上がる。その結果、係合片１３の上端が溝付固定杆体２のリップ部２Ｂ内側に係合し、係止片１１と固定ネジ１２による溝付固定杆体２の係止力を更に高めるものである（図５参照）。
【００２９】
係合部１０の他の実施例として、溝付固定杆体２の端部を上から覆う形状の係止片１１を形成することも可能である（図１１参照）。図示例では、この係止片１１を貫通する固定ネジ１２を設けている。更に、チャンネル材のリップ部２Ｂに係合するように設けられた内ナット１４を使用し、この内ナット１４に固定ネジ１２をネジ止めすることで、係合部１０を溝付固定杆体２に係合したものである（図１２参照）。
【００３０】
一方、係止部２０は、ブロック１の外側に係止するように形成している（図１参照）。図示の係止部２０は、ブロック１の底面に係止する係止片２１と、該係止片２１からブロック１の側面に沿って屈曲延長された連結片２２とで構成している。このような係止部２０によると、前述の係止片１１と固定ネジ１２によって係合した溝付固定杆体２をブロック１に強固に固定することができる。
【００３１】
係止部２０の係止手段として、図１１、１２に示す係止部２０のように、ブロック１の外側面に係止することも可能である。すなわち、係止片２１と連結片２２とでブロック１の端部方向から側面に嵌合する構成である。このような係止部２０によると、係合部１０に連結した溝付固定杆体２をブロック１上に仮置きしておき、配設部材Ｐの荷重で溝付固定杆体２を固定する使用が可能になる。
【００３２】
更に、図１３、１４に示す係止部２０は、基本的に図１１、１２に示す係止部２０と同じ構成であり、ブロック１の外側面に嵌合係止するように構成している。図示例では、更に、係止部２０を貫通する固定ネジ２４を設け、係止部２０をブロック１の外側面にネジ止めするように構成したものである。すなわち、係止片２１に連結孔２３を形成し（図１３参照）、この連結孔２３を貫通する固定ネジ２４にてブロック１側面に圧着するものである。また、この図示例では、この係止片１１を貫通する固定ネジ１２と内ナット１４との数を増加することで、溝付固定杆体２に対する連結強度も高めている（図１４参照）。
【００３３】
尚、ブロック１や溝付固定杆体２、あるいは係合部１０や係止部２０等の形状や構成は図示例に限定されるものではなく、本発明の要旨を変更しない範囲であれば他の形状や構成に変更することも可能である。また、本発明は配線・配管用ブロックとして使用するものであるが、この他、溝付固定杆体２の固定溝２Ａを利用して固定可能な配設部材Ｐであればケーブルラックや配管などの配設部材Ｐに限定されず、他の用途の配設部材Ｐにも適宜使用することが可能である。
【符号の説明】
【００３４】
Ｐ  配設部材
１  ブロック
２  溝付固定杆体
２Ａ  固定溝
２Ｂ  リップ部
１０  係合部
１１  係止片
１２  固定ネジ
１３  係合片
１４  内ナット
２０  係止部
２１  係止片
２２  連結片
２３  連結孔
２４  固定ネジ
【図１】
2015105684.tif 000003
【図２】
2015105684.tif 000004
【図３】
2015105684.tif 000005
【図４】
2015105684.tif 000006
【図５】
2015105684.tif 000007
【図６】
2015105684.tif 000008
【図７】
2015105684.tif 000009
【図８】
2015105684.tif 000010
【図９】
2015105684.tif 000011
【図１０】
2015105684.tif 000012
【図１１】
2015105684.tif 000013
【図１２】
2015105684.tif 000014
【図１３】
2015105684.tif 000015
【図１４】
2015105684.tif 000016
【図１５】
2015105684.tif 000017
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
ケーブルラックや配管などの配設部材を支持するブロックと、該ブロックの上面に配置され配設部材を固定せしめる固定溝とリップ部とを備えたチャンネル材からなる溝付固定杆体とを着脱自在に固定して配線・配管用ブロックを構成する配線・配管用ブロック固定金具であって、溝付固定杆体の長手端部に係合する係合部と、該係合部から連続してブロックの外側に係止する係止部とを設け、
係止部は、ブロックの底面に係止する係止片と、該係止片からブロックの側面に沿って屈曲延長された連結片とでブロック１の底面に係止するように構成され、
係合部は、溝付固定杆体の長手端部内底面に係止する係止片と、該係止片を上面から貫通するようにネジ止めされ溝付固定杆体の底面に先端を圧着する固定ネジと、係止片から屈曲延長され固定ネジの圧着に伴って溝付固定杆体のリップ部内側に係合する係合片とで構成され、
これら係合部と係止部とでブロックの上面に配置した溝付固定杆体をブロックに着脱自在に固定するように構成したことを特徴とする配線・配管用ブロック固定金具。
【手続補正２】
【補正対象書類名】明細書
【補正対象項目名】００１０
【補正方法】変更
【補正の内容】
【００１０】
上述の目的を達成すべく本発明における第１の手段は、ケーブルラックや配管などの配設部材Ｐを支持するブロック１と、該ブロック１の上面に配置され配設部材Ｐを固定せしめる固定溝２Ａリップ部２Ｂとを備えたチャンネル材からなる溝付固定杆体２とを着脱自在に固定して配線・配管用ブロックを構成する配線・配管用ブロック固定金具であって、溝付固定杆体２の長手端部に係合する係合部１０と、該係合部１０から連続してブロックの外側に係止する係止部２０とを設け、係止部２０は、ブロック１の底面に係止する係止片２１と、該係止片２１からブロック１の側面に沿って屈曲延長された連結片２２とでブロック１の底面に係止するように構成され、
係合部１０は、溝付固定杆体２の長手端部内底面に係止する係止片１１と、該係止片１１を上面から貫通するようにネジ止めされ溝付固定杆体２の底面に先端を圧着する固定ネジ１２と、係止片１１から屈曲延長され固定ネジ１２の圧着に伴って溝付固定杆体２のリップ部２Ｂ内側に係合する係合片１３とで構成され、これら係合部１０と係止部２０とでブロック１の上面に配置した溝付固定杆体２をブロック１に着脱自在に固定するように構成したものである。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１６
【補正方法】変更
【補正の内容】
【００１６】
係止部２０は、ブロック１の底面に係止するように形成され、該係止部２０から係合部１０が延長形成されると共に、係合部１０に、溝付固定杆体２の長手端部に係止する係止片１１と、該係止片１１を溝付固定杆体２にネジ止めする固定ネジ１２とを設けたことで、ブロック１と溝付固定杆体２との連結作業が簡単且つ確実に行えるものである。
【手続補正８】
【補正対象書類名】明細書
【補正対象項目名】００１７
【補正方法】変更
【補正の内容】
【００１７】
係止部２０は、ブロック１の底面に係止するように形成され、係合部１０は、チャンネル材の長手端部内底面に係止する係止片１１と、該係止片１１を上面から貫通する固定ネジ１２と、固定ネジ１２の圧着に伴って溝付固定杆体２のリップ部２Ｂ内側に係合する係合片１３とを設けたことで、ブロック１に対して溝付固定杆体２を強固に連結できるものである。したがって、溝付固定杆体２を介して支持する配設部材Ｐをブロック１に強力に支持固定することが可能になった。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
【図１】本発明の一実施例を示す分解斜視図である。
【図２】本発明の使用状態を示す斜視図である。
【図３】本発明の係合部と係止部の一実施例を示す正面図である。
【図４】本発明の一実施例を示す一部側断面図である。
【図５】本発明の係合片がリップ部に係止する例を示す一部側断面図である。
【図６】本発明の一実施例を示す正面図である。
【図７】本発明の他の実施例を示す分解斜視図である。
【図８】本発明の他の実施例を示す斜視図である。
【図９】本発明の他の実施例を示す分解斜視図である。
【図１０】本発明の他の実施例を示す斜視図である。
【図１１】従来の配線・配管用ブロックを示す斜視図である。
【手続補正１２】
【補正対象書類名】明細書
【補正対象項目名】００２９
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３４
【補正方法】変更
【補正の内容】
【００３４】
Ｐ  配設部材
１  ブロック
２  溝付固定杆体
２Ａ  固定溝
２Ｂ  リップ部
１０  係合部
１１  係止片
１２  固定ネジ
１３  係合片
２０  係止部
２１  係止片
２２  連結片
２３  連結孔
【手続補正１６】
【補正対象書類名】図面
【補正対象項目名】図１１
【補正方法】変更
【補正の内容】
【図１１】
2015105684.tif 000018
【手続補正１７】
【補正対象書類名】図面
【補正対象項目名】図１２
【補正方法】削除
【補正の内容】
【手続補正１８】
【補正対象書類名】図面
【補正対象項目名】図１３
【補正方法】削除
【補正の内容】
【手続補正１９】
【補正対象書類名】図面
【補正対象項目名】図１４
【補正方法】削除
【補正の内容】
【手続補正２０】
【補正対象書類名】図面
【補正対象項目名】図１５
【補正方法】削除
【補正の内容】